(57)【要約】【課題】周辺温度の変化にも拘わらずヘッドスライダのクラウン量の変化を大幅に抑制することができるヘッドサスペンションアセンブリおよび記憶媒体駆動装置を提供する。【解決手段】支持体３３およびヘッドスライダ２３の熱膨張率は異なる。温度変化に基づき支持体は例えばヘッドスライダ２３の変形量よりも大きい変形量で変形する。支持体３３の応力は第１および第２接合面４７、４４からヘッドスライダ２３に作用する。第１接合面４７の図心は中立面４６から媒体対向面２３ｂまでの範囲で例えば中立面４６上に配置される。中立面４６上ではヘッドスライダ２３に作用する応力および曲げモーメントはゼロに設定される。図心４８および図心４５がいずれも中立面４６よりも支持面２３ａ側に配置される場合に比べて曲げモーメントは減少する。媒体対向面２３ｂの撓み変形は減少する。その結果、クラウン量の変動は大幅に抑制される。浮上量の変動は回避される。【選択図】図４
2008159215.tif 000002
【特許請求の範囲】
【請求項１】
第１熱膨張率を有する支持体と、第１熱膨張率から異なる第２熱膨張率を有し、支持面で支持体に受け止められつつ支持面の裏側の媒体対向面で記憶媒体に向き合わせられるヘッドスライダと、ヘッドスライダの一端で支持体の表面から立ち上がる第１端面および支持体の表面を接続する第１接合部材と、ヘッドスライダの他端で支持体の表面から立ち上がる第２端面および支持体の表面を接続する第２接合部材とを備え、第１接合部材および第１端面の間で確立される第１接合面の図心は、ヘッドスライダの媒体対向面の凸状の撓み変形時または凹状の撓み変形時に確立されるヘッドスライダの中立面から媒体対向面までの範囲に配置されることを特徴とするヘッドサスペンションアセンブリ。
【請求項２】
請求項１に記載のヘッドサスペンションアセンブリにおいて、前記第２接合部材および前記第２端面の間で確立される第２接合面の図心は前記中立面から前記支持面までの範囲に配置されることを特徴とするヘッドサスペンションアセンブリ。
【請求項３】
請求項２に記載のヘッドサスペンションアセンブリにおいて、前記中立面から前記第１接合面の図心までの距離は前記中立面から前記第２接合面の図心までの距離に等しく設定されることを特徴とするヘッドサスペンションアセンブリ。
【請求項４】
請求項１に記載のヘッドサスペンションアセンブリにおいて、第１接合部材および第１端面の間で確立される前記第１接合面の図心は前記中立面上に配置されることを特徴とするヘッドサスペンションアセンブリ。
【請求項５】
請求項４に記載のヘッドサスペンションアセンブリにおいて、前記第２接合部材および前記第２端面の間で確立される第２接合面の図心は前記中立面から前記支持面までの範囲に配置されることを特徴とするヘッドサスペンションアセンブリ。
【請求項６】
筐体と、筐体内で支軸に回転自在に連結されるキャリッジと、キャリッジに区画されて第１熱膨張率を有する支持体と、第１熱膨張率から異なる第２熱膨張率を有し、支持面で支持体に受け止められつつ支持面の裏側の媒体対向面で記憶媒体に向き合わせられるヘッドスライダと、ヘッドスライダの一端で支持体の表面から立ち上がる第１端面および支持体の表面を接続する第１接合部材と、ヘッドスライダの他端で支持体の表面から立ち上がる第２端面および支持体の表面を接続する第２接合部材とを備え、第１接合部材および第１端面の間で確立される第１接合面の図心は、ヘッドスライダの媒体対向面の凸状の撓み変形時または凹状の撓み変形時に確立されるヘッドスライダの中立面から媒体対向面までの範囲に配置されることを特徴とする記憶媒体駆動装置。
【発明の詳細な説明】
【技術分野】
【０００１】
本発明は、支持体と、支持面で支持体に受け止められつつ支持面の裏側の媒体対向面で記憶媒体に向き合わせられるヘッドスライダとを備えるヘッドサスペンションアセンブリに関する。
【背景技術】
【０００２】
特許文献１の図１８および図１９に開示されるように、ヘッドスライダは支持面でフレキシャの表面に受け止められる。支持面の裏側には媒体対向面が規定される。ヘッドスライダにはフレキシャの表面から立ち上がって媒体対向面に至る空気流入側端面および空気流出側端面が規定される。空気流入側端面およびフレキシャの表面は第１はんだで接続される。空気流出側端面およびフレキシャの表面は第２はんだで接続される。第１はんだおよび第２はんだによれば、ヘッドスライダはフレキシャから簡単に取り外されることができる。ヘッドスライダの交換作業は簡略化される。
【特許文献１】特開２００４−２８３９１１号公報
【特許文献２】米国特許第６８２９８１８号明細書
【発明の開示】
【発明が解決しようとする課題】
【０００３】
従来のヘッドスライダでは、第１はんだおよび空気流入側端面の第１接合面の図心はいわゆる中立面よりも支持面側に配置される。同様に、第２はんだおよび空気流出側端面の第２接合面の図心は中立面よりも支持面側に配置される。ここで、中立面はヘッドスライダの媒体対向面の凸状の撓み変形時または凹状の撓み変形時に確立される。
【０００４】
フレキシャの熱膨張率はヘッドスライダの熱膨張率よりも大きい。例えば周辺温度の低下に基づきフレキシャはヘッドスライダの変形量よりも大きな変形量で収縮する。フレキシャの収縮に伴う応力は第１接合面および第２接合面からヘッドスライダに相互に内向きに作用する。第１接合面の図心および第２接合面の図心は中立面よりも支持面側に配置されることから、ヘッドスライダには応力および曲げモーメントが作用する。曲げモーメントの大きさは中立面から前述の図心までの距離に比例する。その結果、ヘッドスライダの媒体対向面では凸状の撓み変形が生じる。クラウン量は増大する。クラウン量の増大はヘッドスライダの浮上量を変動させる。ヘッドスライダでは電磁変換素子の安定的な読み出し動作や書き込み動作が妨げられる。
【０００５】
本発明は、上記実状に鑑みてなされたもので、周辺温度の変化にも拘わらずヘッドスライダのクラウン量の変化を大幅に抑制することができるヘッドサスペンションアセンブリおよび記憶媒体駆動装置を提供することを目的とする。
【課題を解決するための手段】
【０００６】
上記目的を達成するために、本発明によれば、第１熱膨張率を有する支持体と、第１熱膨張率から異なる第２熱膨張率を有し、支持面で支持体に受け止められつつ支持面の裏側の媒体対向面で記憶媒体に向き合わせられるヘッドスライダと、ヘッドスライダの一端で支持体の表面から立ち上がる第１端面および支持体の表面を接続する第１接合部材と、ヘッドスライダの他端で支持体の表面から立ち上がる第２端面および支持体の表面を接続する第２接合部材とを備え、第１接合部材および第１端面の間で確立される第１接合面の図心は、ヘッドスライダの媒体対向面の凸状の撓み変形時または凹状の撓み変形時に確立されるヘッドスライダの中立面から媒体対向面までの範囲に配置されることを特徴とするヘッドサスペンションアセンブリが提供される。
【０００７】
こうしたヘッドサスペンションアセンブリでは、支持体およびヘッドスライダの熱膨張率は異なる。温度変化に基づき支持体は例えばヘッドスライダの変形量よりも大きい変形量で変形する。変形に基づき支持体の応力は第１および第２接合面からヘッドスライダに作用する。第１接合面の図心は中立面から媒体対向面までの範囲で例えば中立面上に配置されることができる。中立面上ではヘッドスライダに作用する応力および曲げモーメントはゼロに設定される。第１接合面の図心および第２接合面の図心がいずれも中立面よりも支持面側に配置される場合に比べて曲げモーメントは減少する。媒体対向面の撓み変形は減少する。その結果、クラウン量の変動は大幅に抑制される。浮上量の変動は回避されることができる。
【０００８】
第２接合部材および第２端面の間で確立される第２接合面の図心は中立面から支持面までの範囲に配置されればよい。こうしたヘッドサスペンションアセンブリでは、第１接合面の図心および第２接合面の図心からヘッドスライダに応力が作用する。例えば第１接合面の図心が中立面よりも媒体対向面側に配置され、第２接合面の図心が中立面よりも支持面側に配置されれば、第１接合面の図心から作用する曲げモーメントと第２接合面の図心から作用する曲げモーメントとは相互に逆に撓み変形を引き起こす方向に作用する。その結果、第１接合面の図心および第２接合面の図心がいずれも中立面から支持面側に配置される場合に比べて曲げモーメントは減少する。媒体対向面の撓み変形量は減少する。クラウン量の変動は大幅に抑制される。浮上量の変動は回避される。
【０００９】
このとき、中立面から第１接合面の図心までの距離は中立面から第２接合面の図心までの距離に等しく設定されればよい。こうしたヘッドサスペンションアセンブリでは、第１接合面の図心から作用する曲げモーメントと第２接合面の図心から作用する曲げモーメントとは一致する、第１接合面の図心から作用する曲げモーメントと第２接合面の図心から作用する曲げモーメントとは相互に逆に撓み変形を引き起こす方向に作用する。その結果、第１接合面の図心および第２接合面の図心がいずれも中立面から支持面側に配置される場合に比べて曲げモーメントは減少する。媒体対向面の撓み変形量は減少する。クラウン量の変動は大幅に抑制される。浮上量の変動は回避される。
【００１０】
以上のようなヘッドサスペンションアセンブリは、第２端面に形成されて、第２接合部材を受け止める第１導電パッドと、支持体の表面に形成されて第２接合部材を受け止める第２導電パッドと、支持体の表面に形成されて、第２導電パッドに連続する配線パターンとを備えてもよい。
【００１１】
その一方で、第１接合部材および第１端面の間で確立される第１接合面の図心は中立面上に配置されてもよい。こうしたヘッドサスペンションアセンブリによれば、前述されるように、媒体対向面の撓み変形は減少する。その結果、クラウン量の変動は大幅に抑制される。浮上量の変動は回避される。このとき、第２接合部材および第２端面の間で確立される第２接合面の図心は中立面から支持面までの範囲に配置されてもよい。同様に、第２接合部材および第２端面の間で確立される第２接合面の図心は中立面上に配置されてもよい。こういった構成に基づきクラウン量の変動は一層抑制される。
【００１２】
以上のようなヘッドサスペンションアセンブリは、第２端面に形成されて、第２接合部材を受け止める第１導電パッドと、支持体の表面に形成されて第２接合部材を受け止める第２導電パッドと、支持体の表面に形成されて、第２導電パッドに連続する配線パターンとを備えてもよい。
【００１３】
以上のようなヘッドサスペンションアセンブリは記憶媒体駆動装置に組み込まれればよい。記憶媒体駆動装置は、筐体と、筐体内で支軸に回転自在に連結されるキャリッジと、キャリッジに区画されて第１熱膨張率を有する支持体と、第１熱膨張率から異なる第２熱膨張率を有し、支持面で支持体に受け止められつつ支持面の裏側の媒体対向面で記憶媒体に向き合わせられるヘッドスライダと、ヘッドスライダの一端で支持体の表面から立ち上がる第１端面および支持体の表面を接続する第１接合部材と、ヘッドスライダの他端で支持体の表面から立ち上がる第２端面および支持体の表面を接続する第２接合部材とを備える。このとき、第１接合部材および第１端面の間で確立される第１接合面の図心は、ヘッドスライダの媒体対向面の凸状の撓み変形時または凹状の撓み変形時に確立されるヘッドスライダの中立面から媒体対向面までの範囲に配置されればよい。こうした記憶媒体駆動装置によれば、前述のヘッドサスペンションアセンブリと同様の作用効果を実現することができる。
【発明の効果】
【００１４】
以上のように本発明によれば、周辺温度の変化にも拘わらずヘッドスライダのクラウン量の変化を大幅に抑制することができるヘッドサスペンションアセンブリおよび記憶媒体駆動装置が提供される。
【発明を実施するための最良の形態】
【００１５】
以下、添付図面を参照しつつ本発明の一実施形態を説明する。
【００１６】
図１は本発明に係る記憶媒体駆動装置の一具体例すなわちハードディスク駆動装置（ＨＤＤ）１１の内部構造を概略的に示す。このＨＤＤ１１は筐体すなわちハウジング１２を備える。ハウジング１２は箱形のベース１３およびカバー（図示されず）から構成される。ベース１３は例えば平たい直方体の内部空間すなわち収容空間を区画する。ベース１３は例えばアルミニウムといった金属材料から鋳造に基づき成形されればよい。カバーはベース１３の開口に結合される。カバーとベース１３との間で収容空間は密閉される。カバーは例えばプレス加工に基づき１枚の板材から成形されればよい。
【００１７】
収容空間には、記憶媒体としての１枚以上の磁気ディスク１４が収容される。磁気ディスク１４はスピンドルモータ１５の回転軸に装着される。スピンドルモータ１５は例えば３６００ｒｐｍや４２００ｒｐｍ、５４００ｒｐｍ、７２００ｒｐｍ、１００００ｒｐｍ、１５０００ｒｐｍといった高速度で磁気ディスク１４を回転させることができる。
【００１８】
収容空間にはキャリッジ１６がさらに収容される。キャリッジ１６はキャリッジブロック１７を備える。キャリッジブロック１７は、垂直方向に延びる支軸１８に回転自在に連結される。キャリッジブロック１７には、支軸１８から水平方向に延びる複数のキャリッジアーム１９が区画される。キャリッジブロック１７は例えば押し出し成型に基づきアルミニウムから成型されればよい。
【００１９】
個々のキャリッジアーム１９の先端にはヘッドサスペンションアセンブリ２１が取り付けられる。ヘッドサスペンションアセンブリ２１は、キャリッジアーム１９の先端から前方に延びるヘッドサスペンション２２を備える。ヘッドサスペンション２２の前端には後述の支持体すなわちフレキシャが貼り付けられる。フレキシャ上には浮上ヘッドスライダ２３が支持される。フレキシャに基づき浮上ヘッドスライダ２３はヘッドサスペンション２２に対して姿勢を変化させることができる。浮上ヘッドスライダ２３には磁気ヘッドすなわち電磁変換素子が搭載される。
【００２０】
磁気ディスク１４の回転に基づき磁気ディスク１４の表面で気流が生成されると、気流の働きで浮上ヘッドスライダ２３には正圧すなわち浮力および負圧が作用する。浮力および負圧とヘッドサスペンション２２の押し付け力とが釣り合うことで磁気ディスク１４の回転中に比較的に高い剛性で浮上ヘッドスライダ２３は浮上し続けることができる。
【００２１】
こういった浮上ヘッドスライダ２３の浮上中にキャリッジ１６が支軸１８回りで回転すると、浮上ヘッドスライダ２３は磁気ディスク１４の半径線に沿って移動することができる。その結果、浮上ヘッドスライダ２３上の電磁変換素子は最内周記録トラックと最外周記録トラックとの間でデータゾーンを横切ることができる。こうして浮上ヘッドスライダ２３上の電磁変換素子は目標の記録トラック上に位置決めされる。
【００２２】
キャリッジブロック１７には例えばボイスコイルモータ（ＶＣＭ）２４といった動力源が接続される。このＶＣＭ２４の働きでキャリッジブロック１７は支軸１８回りで回転することができる。こうしたキャリッジブロック１７の回転に基づきキャリッジアーム１９およびヘッドサスペンション２２の揺動は実現される。
【００２３】
図１から明らかなように、キャリッジブロック１７上にはフレキシブルプリント基板ユニット２５が配置される。フレキシブルプリント基板ユニット２５は、フレキシブルプリント基板２６に実装されるヘッドＩＣ（集積回路）２７を備える。磁気情報の読み出し時には、このヘッドＩＣ２７から電磁変換素子の読み出しヘッド素子に向けてセンス電流は供給される。同様に、磁気情報の書き込み時には、ヘッドＩＣ２７から電磁変換素子の書き込みヘッド素子に向けて書き込み電流は供給される。ヘッドＩＣ２７には、収容空間内に配置される小型の回路基板（図示されず）や、ベース１３の底板の裏側に取り付けられるプリント回路基板（図示されず）からセンス電流や書き込み電流は供給される。こうしたセンス電流や書き込み電流の供給にあたってフレキシブルプリント基板２８が用いられる。フレキシブルプリント基板２８はフレキシブルプリント基板ユニット２５に接続される。
【００２４】
図２に示されるように、フレキシャ３１は、ヘッドサスペンション２２に固定される固定板３２を備える。固定板３２には、表面で浮上ヘッドスライダ２３の支持面２３ａを受け止める支持板３３が接続される。支持面２３ａの裏側には媒体対向面２３ｂが規定される。固定板３２および支持板３３は１枚の板ばね材から形成されればよい。板ばね材は例えば均一な板厚のステンレス鋼から構成されればよい。支持板３３すなわち浮上ヘッドスライダ２３は固定板３２に対して姿勢を変化させることができる。
【００２５】
フレキシブルプリント基板２８は例えば下地絶縁膜３４を備える。下地絶縁膜３４は部分的に支持板３３や固定板３２の表面に張り合わせられる。下地絶縁膜３４の表面には相互に並列に伸びる例えば６筋の導電層すなわち配線パターン３５が形成される。配線パターン３５には例えば銅といった導電材料が用いられればよい。下地絶縁膜３４には例えばポリイミド樹脂といった樹脂材料が用いられればよい。
【００２６】
浮上ヘッドスライダ２３の一端側では下地絶縁膜３４の表面に例えば６つの導電パッド３７が形成される。各導電パッド３７は各配線パターン３５に連続する。その一方で、浮上ヘッドスライダ２３は、その一端でフレキシャ３１の表面から立ち上がる空気流出側端面２３ｃを規定する。空気流出側端面２３ｃには例えば６つの導電パッド３８が形成される。導電パッド３７、３８は個別に接合部材すなわちはんだ３９を受け止める。こうしてはんだ３９は浮上ヘッドスライダ２３とフレキシャ３１とを接続する。導電パッド３７、３８は例えば銅といった導電材料から形成される。
【００２７】
図３に示されるように、浮上ヘッドスライダ２３の他端側では下地絶縁膜３４の表面に例えば２つの導電パッド４１が形成される。その一方で、浮上ヘッドスライダ２３は、その他端でフレキシャ３１の表面から立ち上がる空気流入側端面２３ｄを規定する。空気流入側端面２３ｄには例えば２つの導電パッド４２が形成される。導電パッド４１、４２は個別に接合部材すなわちはんだ４３を受け止める。こうしてはんだ４３は浮上ヘッドスライダ２３とフレキシャ３１とを接続する。導電パッド４１、４２は例えば銅といった導電材料から形成される。
【００２８】
図４に示されるように、はんだ３９および導電パッド３８の間で接合面４４が確立される。図５を併せて参照し、接合面４４の図心４５は中立面４６から支持面２３ａまでの範囲に配置される。ここでは、図心４５は中立面４６よりも支持面２３ａ側に配置される。その一方で、はんだ４３および導電パッド４２の間で接合面４７が確立される。図６を併せて参照し、接合面４４の図心４５は中立面４６から媒体対向面２３ｂまでの範囲に配置される。ここでは、接合面４７の図心４８は浮上ヘッドスライダ２３の中立面４６上に配置される。
【００２９】
中立面４６は、媒体対向面２３ｂの凸状の撓み変形時および凹状の撓み変形時に確立される。図心４５や図心４８の位置の調整は例えば導電パッド３８の図心や導電パッド４２の図心の位置で調整されればよい。導電パッド３８や導電パッド４２ではその表面に全面にわたってはんだの濡れ性が確立されればよい。こうしてはんだ３９やはんだ４３は導電パッド３８や導電パッド４２の表面の全面にわたって濡れ広がることができる。
【００３０】
浮上ヘッドスライダ２３では媒体対向面２３ｂは所定の曲率の凸面で構成される。媒体対向面２３ｂは例えば空気流出側端面２３ｃおよび空気流入側端面２３ｄの中間位置で最も盛り上がる。曲率はいわゆるクラウン量で表現される。クラウン量は、浮上ヘッドスライダ２３の媒体対向面２３ｂの空気流出端および空気流入端を含む仮想平面から媒体対向面２３ｂの最大高さで規定される。この浮上ヘッドスライダ２３では室温で例えば２０ｎｍ程度のクラウン量が設定される。フレキシャ３１の熱膨張率は浮上ヘッドスライダ２３の熱膨張率よりも大きく設定される。
【００３１】
いま、ＨＤＤ１１内の温度が室温から変化する場面を想定する。例えばＨＤＤ１１内の温度上昇に基づき浮上ヘッドスライダ２３の変形量よりも大きい変形量でフレキシャ３１は伸張する。伸張に基づきフレキシャ３１の応力は接合面４４、４７から浮上ヘッドスライダ２３に相互に外向きに作用する。接合面４７の図心４８は中立面４６上に配置されることから、中立面４６から図心４８までの距離はゼロに設定される。したがって、接合面４７から浮上ヘッドスライダ２３に作用する応力および曲げモーメントはゼロに設定される。その一方で、接合面４４の図心４５は中立面４６から所定の距離に設定される。曲げモーメントは中立面４６から接合面４７の図心４８までの距離に比例することから、当該距離に応じて接合面４４からのみ浮上ヘッドスライダ２３に曲げモーメントが作用する。その結果、図心４５および図心４８がいずれも中立面４６から支持面２３ａ側に配置される場合に比べて曲げモーメントは減少する。媒体対向面２３ｂの凹状の撓み変形量は減少する。クラウン量の減少は抑制される。浮上量の変動は回避される。浮上ヘッドスライダ２３では電磁変換素子の読み出し動作や書き込み動作は正確に実施される。
【００３２】
その一方で、例えばＨＤＤ１１内の温度低下に基づき浮上ヘッドスライダ２３の変形量よりも大きい変形量でフレキシャ３１は収縮する。収縮に基づきフレキシャ３１の応力は接合面４４、４７から浮上ヘッドスライダ２３に相互に内向きに作用する。前述と同様に、接合面４７の図心４８は中立面４６上に配置されることから、中立面４６から図心４８までの距離はゼロに設定される。したがって、接合面４７から浮上ヘッドスライダ２３に作用する曲げモーメントはゼロに設定される。その一方で、接合面４４の図心４５は中立面４６から所定の距離に設定されることから、距離に応じて接合面４４からのみ浮上ヘッドスライダ２３に曲げモーメントが作用する。その結果、接合面４４の図心４５および接合面４７の図心４８がいずれも中立面４６から支持面２３ａ側に配置される場合に比べて曲げモーメントは減少する。媒体対向面２３ｂの凹状の撓み変形量は減少する。クラウン量の減少は抑制される。浮上量の変動は回避される。浮上ヘッドスライダ２３では電磁変換素子の読み出し動作や書き込み動作は正確に実施される。
【００３３】
こうしたＨＤＤ１１では、浮上ヘッドスライダ２３の浮上量の変動が回避されることから、記録密度の向上に大いに貢献することができる。しかも、本発明は、例えば浮上量に高い精度を要求する垂直磁気記録方式の浮上ヘッドスライダを採用する記憶媒体駆動装置や、浮上ヘッドスライダに組み込まれるヒータに基づき浮上ヘッドスライダの浮上量を高い精度で制御する記憶媒体駆動装置に特に有用に適用されることができる。
【００３４】
図７に示されるように、ＨＤＤ１１には前述のヘッドサスペンションアセンブリ２１に代えてヘッドサスペンションアセンブリ２１ａが組み込まれてもよい。ヘッドサスペンションアセンブリ２１ａでは、図心４５は中立面４６および支持面２３ａの間に配置される。図心４８は中立面４６および媒体対向面２３ｄの間に配置される。ここでは、中立面４６から図心４５までの距離は中立面４６から図心４８までの距離に等しく設定される。その他、前述のヘッドサスペンションアセンブリ２１と均等な構成や構造には同一の参照符号が付される。
【００３５】
こうしたヘッドサスペンションアセンブリ２１ａでは、前述と同様に、温度変化に基づき浮上ヘッドスライダ２３の変形量よりも大きい変形量でフレキシャ３１は変形する。変形に基づきフレキシャ３１の応力は接合面４４、４７から浮上ヘッドスライダ２３に作用する。中立面４６から図心４５までの距離は中立面４６から図心４８までの距離に等しく設定されることから、図心４５から浮上ヘッドスライダ２３に作用する曲げモーメントは図心４８から浮上ヘッドスライダ２３に作用する曲げモーメントに一致する。しかも、図心４５から作用する曲げモーメントと図心４８から作用する曲げモーメントとは、相互に逆方向に撓み変形を引き起こす方向に作用する。その結果、図心４５および図心４８がいずれも中立面４６から支持面２３ａ側に配置される場合に比べて曲げモーメントは減少する。浮上ヘッドスライダ２３では節を有する撓み変形が引き起こされる。媒体対向面２３ｂの撓み変形量は減少する。クラウン量の変動は抑制される。浮上量の変動は回避される。浮上ヘッドスライダ２３では電磁変換素子の読み出し動作や書き込み動作は正確に実施される。
【００３６】
図８に示されるように、ＨＤＤ１１には前述のヘッドサスペンションアセンブリ２１、２１ａに代えてヘッドサスペンションアセンブリ２１ｂが組み込まれてもよい。ヘッドサスペンションアセンブリ２１ｂでは、図心４５および図心４８はともに中立面４６上に配置される。その他、前述のヘッドサスペンションアセンブリ２１と均等な構成や構造には同一の参照符号が付される。
【００３７】
こうしたヘッドサスペンションアセンブリ２１ｂでは、前述と同様に、温度変化に基づき浮上ヘッドスライダ２３の変形量よりも大きい変形量でフレキシャ３１は変形する。変形に基づきフレキシャ３１の応力は接合面４４、４７から浮上ヘッドスライダ２３に作用する。図心４５および図心４８は中立面４６上に配置されることから、中立面４６から接合面４４、４７までの距離はゼロに設定される。図心４５、４８から作用する応力および曲げモーメントはゼロに設定される。その結果、媒体対向面２３ｂの撓み変形量はゼロに設定される。クラウン量の変動は回避される。浮上量の変動は回避される。浮上ヘッドスライダ２３では電磁変換素子の読み出し動作や書き込み動作は正確に実施される。
【００３８】
本発明者らはシミュレーションに基づき本発明の効果を検証した。検証にあたって比較例および具体例１〜３が用意された。比較例に係るヘッドサスペンションアセンブリでは図心４５、４８はともに中立面４６よりも支持面２３ａ側に配置された。具体例１には前述のヘッドサスペンションアセンブリ２１が用いられた。具体例２には前述のヘッドサスペンションアセンブリ２１ａが用いられた。具体例３には前述のヘッドサスペンションアセンブリ２１ｂが用いられた。周辺温度の変化に基づきクラウン量の変化および浮上量の変化が観察された。
【００３９】
その結果、図９に示されるように、比較例に比べて具体例１〜３ではクラウン量の変動および浮上量の変動はともに抑制された。図１０は比較例に係る浮上ヘッドスライダ２３の変形を模式的に示す。比較例では、図心４５、４８は中立面４６よりも支持面２３ａ側に配置されることから、例えば温度の低下に基づき接合面４４、４７から相互に内向きに応力が作用する。浮上ヘッドスライダには中立面４６から図心４５、４８までの距離に比例する曲げモーメントが作用する。浮上ヘッドスライダでは媒体対向面２３ｂの凸状に撓み変形が引き起こされてしまう。その結果、クラウン量は大幅に増大してしまう。浮上量は変動する。
【００４０】
図１１は具体例１に係る浮上ヘッドスライダ２３の変形を模式的に示す。具体例１では図心４８は中立面４６上に配置される。その結果、比較例に比べて浮上ヘッドスライダ２３の変形は抑制される。クラウン量および浮上量の変動は大幅に抑制される。図１２に示されるように、具体例２では図心４５は支持面２３ａ側に配置される。同時に、図心４８は媒体対向面２３ｂ側に配置される。その結果、クラウン量および浮上量の変動は大幅に抑制される。図１３に示されるように、具体例３では図心４５、４８は中立面４６上に配置される。その結果、クラウン量および浮上量の変動は大幅に抑制される。
【００４１】
（付記１）  第１熱膨張率を有する支持体と、第１熱膨張率から異なる第２熱膨張率を有し、支持面で支持体に受け止められつつ支持面の裏側の媒体対向面で記憶媒体に向き合わせられるヘッドスライダと、ヘッドスライダの一端で支持体の表面から立ち上がる第１端面および支持体の表面を接続する第１接合部材と、ヘッドスライダの他端で支持体の表面から立ち上がる第２端面および支持体の表面を接続する第２接合部材とを備え、第１接合部材および第１端面の間で確立される第１接合面の図心は、ヘッドスライダの媒体対向面の凸状の撓み変形時または凹状の撓み変形時に確立されるヘッドスライダの中立面から媒体対向面までの範囲に配置されることを特徴とするヘッドサスペンションアセンブリ。
【００４２】
（付記２）  付記１に記載のヘッドサスペンションアセンブリにおいて、前記第２接合部材および前記第２端面の間で確立される第２接合面の図心は前記中立面から前記支持面までの範囲に配置されることを特徴とするヘッドサスペンションアセンブリ。
【００４３】
（付記３）  付記２に記載のヘッドサスペンションアセンブリにおいて、前記中立面から前記第１接合面の図心までの距離は前記中立面から前記第２接合面の図心までの距離に等しく設定されることを特徴とするヘッドサスペンションアセンブリ。
【００４４】
（付記４）  付記１に記載のヘッドサスペンションアセンブリにおいて、第１接合部材および第１端面の間で確立される前記第１接合面の図心は前記中立面上に配置されることを特徴とするヘッドサスペンションアセンブリ。
【００４５】
（付記５）  付記４に記載のヘッドサスペンションアセンブリにおいて、前記第２接合部材および前記第２端面の間で確立される第２接合面の図心は前記中立面から前記支持面までの範囲に配置されることを特徴とするヘッドサスペンションアセンブリ。
【００４６】
（付記６）  付記４に記載のヘッドサスペンションアセンブリにおいて、前記第２接合部材および前記第２端面の間で確立される第２接合面の図心は前記中立面上に配置されることを特徴とするヘッドサスペンションアセンブリ。
【００４７】
（付記７）  筐体と、筐体内で支軸に回転自在に連結されるキャリッジと、キャリッジに区画されて第１熱膨張率を有する支持体と、第１熱膨張率から異なる第２熱膨張率を有し、支持面で支持体に受け止められつつ支持面の裏側の媒体対向面で記憶媒体に向き合わせられるヘッドスライダと、ヘッドスライダの一端で支持体の表面から立ち上がる第１端面および支持体の表面を接続する第１接合部材と、ヘッドスライダの他端で支持体の表面から立ち上がる第２端面および支持体の表面を接続する第２接合部材とを備え、第１接合部材および第１端面の間で確立される第１接合面の図心は、ヘッドスライダの媒体対向面の凸状の撓み変形時または凹状の撓み変形時に確立されるヘッドスライダの中立面から媒体対向面までの範囲に配置されることを特徴とする記憶媒体駆動装置。
【００４８】
（付記８）  付記７に記載の記憶媒体駆動装置において、前記第２接合部材および前記第２端面の間で確立される第２接合面の図心は前記中立面から前記支持面までの範囲に配置されることを特徴とする記憶媒体駆動装置。
【００４９】
（付記９）  付記８に記載の記憶媒体駆動装置において、前記中立面から前記第１接合面の図心までの距離は前記中立面から前記第２接合面の図心までの距離に等しく設定されることを特徴とする記憶媒体駆動装置。
【００５０】
（付記１０）  付記７に記載の記憶媒体駆動装置において、第１接合部材および第１端面の間で確立される前記第１接合面の図心は前記中立面上に配置されることを特徴とする記憶媒体駆動装置。
【００５１】
（付記１１）  付記１０に記載の記憶媒体駆動装置において、前記第２接合部材および前記第２端面の間で確立される第２接合面の図心は前記中立面から前記支持面までの範囲に配置されることを特徴とする記憶媒体駆動装置。
【００５２】
（付記１２）  付記１０に記載の記憶媒体駆動装置において、前記第２接合部材および前記第２端面の間で確立される第２接合面の図心は前記中立面上に配置されることを特徴とする記憶媒体駆動装置。
【図面の簡単な説明】
【００５３】
【図１】本発明に係る記憶媒体駆動装置の一具体例すなわちハードディスク駆動装置（ＨＤＤ）の内部構造を概略的に示す平面図である。
【図２】本発明の第１実施形態に係るヘッドサスペンションアセンブリの構造を概略的に示す部分拡大斜視図である。
【図３】本発明の第１実施形態に係るヘッドサスペンションアセンブリの構造を概略的に示す斜視図である。
【図４】ヘッドスライダおよびフレキシャを接続する接合部材の構造を概略的に示す部分拡大側面図である。
【図５】ヘッドスライダの空気流出側端面の様子を概略的に示す部分断面図である。
【図６】ヘッドスライダの空気流入側端面の様子を概略的に示す部分断面図である。
【図７】本発明の第２実施形態に係るヘッドサスペンションアセンブリの構造を概略的に示す部分拡大側面図である。
【図８】本発明の第３実施形態に係るヘッドサスペンションアセンブリの構造を概略的に示す部分拡大側面図である。
【図９】温度に対するクラウン量および浮上量の変動を示すグラフである。
【図１０】比較例に係るヘッドサスペンションアセンブリのヘッドスライダの様子を模式的に示す図である。
【図１１】具体例１に係るヘッドサスペンションアセンブリのヘッドスライダの様子を模式的に示す図である。
【図１２】具体例２に係るヘッドサスペンションアセンブリのヘッドスライダの様子を模式的に示す図である。
【図１３】具体例３に係るヘッドサスペンションアセンブリのヘッドスライダの様子を模式的に示す図である。
【符号の説明】
【００５４】
１１  記憶媒体駆動装置（ハードディスク駆動装置）、１２  筐体（ハウジング）、１４  記憶媒体（磁気ディスク）、１６  キャリッジ、２３  ヘッドスライダ（浮上ヘッドスライダ）、２３ａ  支持面、２３ｂ  媒体対向面、２３ｃ  第２端面（空気流出側端面）、２３ｄ  第１端面（空気流入側端面）、３１  支持体（フレキシャ）、３９  第２接合部材（はんだ）、４３  第１接合部材（はんだ）、４４  第２接合面（接合面）、４５  図心、４６  中立面、４７  第１接合面（接合面）、４８  図心。
【図１】
2008159215.tif 000003
【図２】
2008159215.tif 000004
【図３】
2008159215.tif 000005
【図４】
2008159215.tif 000006
【図５】
2008159215.tif 000007
【図６】
2008159215.tif 000008
【図７】
2008159215.tif 000009
【図８】
2008159215.tif 000010
【図９】
2008159215.tif 000011
【図１０】
2008159215.tif 000012
【図１１】
2008159215.tif 000013
【図１２】
2008159215.tif 000014
【図１３】
2008159215.tif 000015